(57)【特許請求の範囲】
【請求項１】
単色または複数色の、平行に配列された複数の線群により形成される第１パターンを有する第一の基材と、単色または複数色の、平行に配列された複数の線群により形成される第２パターンを有する第二の基材から構成され、観測方向から順に前記第二の基材と前記第一の基材を配置することによりモアレを生じさせる表示装置において、
前記第１パターン及び前記第２パターンによりモアレの対象となる図柄を形成し、
前記第二の基材が透明な部材からなり、
前記第一の基材を固定すると共に、前記第二の基材を前記観測方向に対して略直線上に前後に往復移動させる移動手段を有し、
前記第１パターンによるモアレの対象となる図柄と、前記第２パターンによるモアレの対象となる図柄が一致していることを特徴とする表示装置。
【請求項２】
前記第１パターンを形成する前記複数の線群と、前記第２パターンを形成する前記複数の線群の同一位置における角度の差が１度以上１５度以下であることを特徴とする請求項１に記載の表示装置。
【請求項３】
前記モアレの対象となる図柄の配向に沿って前記複数の線群が形成されることを特徴とする請求項１乃至２のいずれか１項に記載の表示装置。
【請求項４】
前記第１パターンおよび前記第２パターンにおいて、前記複数の線群の１ｍｍあたりの本数ｎが、１０本以上５０本以下であることを特徴とする請求項１乃至３のいずれか１項に記載の表示装置。
【請求項５】
前記移動手段は、
移動速度が一定であり、かつ前記移動速度が０．５ｍｍ／ｓｅｃ以上５ｍｍ／ｓｅｃ以下となるよう速度制御を行うことを特徴とする請求項１乃至４のいずれか１項に記載の表示装置。
【請求項６】
前記移動手段は、
前記往復移動における前記第一の基材と前記第二の基材の間隙が、１０ｍｍ以上５０ｍｍ以下となるように制御されることを特徴とする請求項１乃至５のいずれか１項に記載の表示装置。
【請求項７】
光源としてエッジライト型照明装置を備えることを特徴とする請求項１乃至６のいずれか１項に記載の表示装置。
【請求項８】
前記第１パターンおよび前記第２パターンが形成されていない領域に任意図柄が印刷されていることを特徴とする請求項１乃至７のいずれか１項に記載の表示装置。
【発明の詳細な説明】
【技術分野】
【０００１】
本発明は、モアレを発生させる１対のシートのうち１枚が観測面方向へ前後に移動することで、意図した形状で連続的に変化する、立体感のあるモアレパターンを生成する表示装置に関する。
【背景技術】
【０００２】
点または線が幾何学的に正しく分布したシート等を重ね合わせることで生じる縞状の模様をモアレと称し、一般的に知られている。ディスプレイや印刷の分野において、モアレは表示品位を損なう現象であるため、モアレの出現を抑制する手法が各種提案されている。一方、点や線の分布を僅かにずらすことで、発生するモアレのパターンが変わることから、衣服や広告などの表示体、パッケージの分野では、意匠性を高める現象としてモアレ模様が積極的に応用されている。
【０００３】
特許文献１には、モアレ模様を創り出す表示装置として、幾何学模様、または抽象柄等の模様を描いた複数のモアレシートを、固定側モアレシートと可動側モアレシートに分類して、両モアレシートを重ね合わせて、可動側モアレシートを平面上で回転・直線往復運動させることで、模様に視覚的変化を生じさせる表示体が記載されている。
【０００４】
また、特許文献２には、特定形状の立体感あるモアレを再現するために、多数の細線からなる下部模様が形成された基材の上に、多数の細線からなる上部模様が形成された透明シートを、一部分が密着しないように積層する表示体が記載されている。
【先行技術文献】
【特許文献】
【０００５】
【特許文献１】特開平７−９２９２５号公報
【特許文献２】登録実用新案第３０６３８４９号公報
【発明の概要】
【発明が解決しようとする課題】
【０００６】
しかし、特許文献１に記載の表示体では、文字やロゴのような意図した形状に、視覚的変化を与えることは難しい。また、特許文献２に記載のシートを用いれば、観測者が移動しながら表示体を視認することで、モアレの見え方が変化し、且つ、立体視を得ることができるが、観察者が動かずに表示体を視認する時にはモアレに視覚的変化が生じない。これらの問題に対して、モアレに、より視覚的変化を生み出すことで、利用者の注意を惹き、意匠性が高い表示装置が望まれている。そこで、本発明が解決しようとする課題は、モアレを発生させる１対のシートを備え、前記シートの１枚が観測面方向へ前後に移動することで、意図した形状の、連続的に変化する立体感のあるモアレパターンを生成する、モアレ現象を利用した表示装置の提供を目的とする。
【課題を解決するための手段】
【０００７】
本発明は、上述の課題を達成するために、以下の様な手段を講じる。
本発明の第一の形態は、単色または複数色の、平行に配列された複数の線群により形成される第１パターンを有する第一の基材と、単色または複数色の、平行に配列された複数の線群により形成される第２パターンを有する第二の基材から構成され、観測方向から順に前記第二の基材と前記第一の基材を配置することによりモアレを生じさせる表示装置において、前記第１パターン及び前記第２パターンによりモアレの対象となる図柄を形成し、前記第二の基材が透明な部材からなり、前記第一の基材を固定すると共に、前記第二の基材を前記観測方向に対して略直線上へ前後に往復移動させる移動手段を有することを特徴とする表示装置である。
また、前記第１パターンによるモアレの対象となる図柄と、前記第２パターンによるモアレの対象となる図柄が一致していることを特徴とする。
また、本発明の第二の形態は、前記第１パターンを形成する前記複数の線群と、前記第２パターンを形成する前記複数の線群の同一位置における角度が１度以上１５度以下であることを特徴とする。
また、前記モアレの対象となる図柄の配向に沿って前記複数の線群が形成されることを特徴とする。
また、前記第１パターンおよび前記第２パターンにおいて、前記複数の線群の１ｍｍあたりの本数ｎが、１０本以上５０本以下であることを特徴とする。
また、前記移動手段は、移動速度が一定であり、かつ前記移動速度が０．５ｍｍ／ｓｅｃ以上５ｍｍ／ｓｅｃ以下となるよう速度制御を行うことを特徴とする。
また、前記往復移動における前記第一の基材と前記第二の基材の間隙が、１０ｍｍ以上５０ｍｍ以下となるように制御されることを特徴とする。
また、光源としてエッジライト型照明装置を備えることを特徴とする。
また、前記第１パターンおよび前記第２パターンが形成されていない領域に任意図柄が印刷されていることを特徴とする。
【発明の効果】
【０００８】
本発明の表示装置によれば、透明シートを移動手段により観測方向前後へ動かすことにより、透明シートに描かれたモアレを促す線群のピッチが相対的に変化するため、連続的に周期が変化するモアレが発生し、且つ、透明シートと基材の間隙が連続的に変化することで、モアレが見える奥行き方向の位置が変化するため、立体的視覚効果を与えることができる。また、モアレを促す線群は、モアレを発生させたい任意図柄内のみに描かれているため、目立たせたい任意の図柄に対してのみ発生する立体的視覚効果により、意匠性の高い表示装置の提供が可能となる。
【図面の簡単な説明】
【０００９】
【図１】本発明の実施形態による表示装置を示す概略断面図である。
【図２】本発明の実施形態による表示装置を示す正面図である。
【図３】モアレの立体視効果の原理について説明するための、概念斜視図である。
【図４】モアレの立体視効果の原理について説明するための、観測面を横から見た時の、光線の振る舞いに関する概念図であり、（ａ）前面透明シートの格子ピッチが、背面透明シートの格子ピッチより長い場合の概念図である。（ｂ）前面透明シートの格子ピッチが、背面透明シートの格子ピッチより短い場合の概念図である。
【図５】（ａ）本発明の実施形態による表示装置に含まれる、基材に形成されるパターンの一例である。（ｂ）本発明の実施形態による表示装置に含まれる、透明シートに形成されるパターンの一例である。
【図６】（ａ）本発明の実施形態による表示装置に含まれる、基材に形成されるパターンの一例である。（ｂ）本発明の実施形態による表示装置に含まれる、透明シートに形成されるパターンの一例である。
【図７】（ａ）本発明の実施形態による表示装置に含まれる、基材に形成されるパターンの一例である。（ｂ）本発明の実施形態による表示装置に含まれる、透明シートに形成されるパターンの一例である。
【図８】本発明の実施形態による表示装置に含まれる、移動手段の概略図である。
【図９】本発明の実施形態による表示装置に含まれる、透明シートと駆動機を結合する、連結部品の概略図である。
【図１０】（ａ）本発明の実施形態による表示装置に含まれる、基材に形成されるパターンの一例である。（ｂ）本発明の実施形態による表示装置に含まれる、透明シートに形成されるパターンの一例である。
【発明を実施するための形態】
【００１０】
以下、本発明の実施の形態を図面に基づいて説明する。なお、各図は本発明の実施形態を説明する為に模式的に示した図であり、各部位の大きさや形状は理解を容易にするために適宜誇張しており、実際の縮図とは一致していない。また、説明を簡単にするため、各図の対応する部位には同じ符号を付している。
【００１１】
（全体構成）
図１は、本発明の実施形態における表示装置１の概略を示す断面図である。また、図２は、図１における観測方向Ｆから見た表示装置１の正面図である。図１に示す表示装置１は、観測方向Ｆから順に前面板１２、透明シート２、基材３、照明装置４、透明シート２と駆動機１０を連結させる連結部品１１、連結部品１１の下部に配置されたキャタピラ９、駆動機１０を備えている。また、表示装置１の観測面にはスイッチボタン１３がついており、ボタンを押すことにより、駆動機１０が駆動し、連結部品１１を介して観測方向前後へ透明シート２が往復運動するように制御される。
【００１２】
（原理・作用）
本発明におけるモアレの立体視効果の原理について、図３および図４に基づき説明する。
図３は、観測方向Ｆから順に透明シートＡ、透明シートＢを配置した際に出現するモアレ縞Ｍの様子を示している。
透明シートＡはピッチがｐの平行な直線が複数描かれており、透明シートＢはピッチがｗで透明シートＡと平行な直線が複数描かれている。両透明シートを間隙ｄで重ねた時に、正面である観測方向Ｆから透明シートを観測することでモアレ縞Ｍが出現する。この時、出現するモアレ縞Ｍの間隔をλ、透明シートＡまたは透明シートＢのうち、モアレ縞Ｍに近い方のシートからモアレ縞Ｍまでの奥行き方向の距離をＤとする。ここで、モアレ縞Ｍの間隔λと奥行き方向の距離Ｄは、各透明シートのピッチｐおよびｗと、間隙ｄに依存する。なお、モアレ縞Ｍは、上述の平行な直線の他、円やその他曲線形状によっても発生させることができる。
【００１３】
以下、図４を用いて詳細を説明する。図４は、図３を上方向から見た時の、光線の振る舞いを示した概略図である。
図４（ａ）は、ピッチｐがピッチｗよりも長い場合を示してあり、この時、透明シートＡ、Ｂの両格子を通過する光は透明シートＢの奥側で集光する。観測者からは集光した点が明部として視認される。奥側に発生した明暗の縞と、観測方向Ｆ側に位置する透明シートＡが奥行き方向に異なって視認されるので、立体感を持つモアレ縞Ｍとして目視される。なお、この時、モアレの間隔λと、奥行き方向の距離Ｄは、式（１）、式（２）より計算が可能である。
【００１４】
【数１】
0006520077.tif 000002
【数２】
0006520077.tif 000003
【００１５】
図４（ｂ）は、ピッチｐがピッチｗよりも短い場合を示してあり、この時、透明シートＡ、Ｂの両格子を通過する光は透明シートＡの手前側で集光する。そのため、図４（ａ）と同様の原理により立体感を持つモアレ縞Ｍが視認される。なお、生じるモアレ縞Ｍの間隔λ’と、奥行き方向の距離Ｄ’は、式（３）、式（４）より計算が可能である。
【００１６】
【数３】
0006520077.tif 000004
【数４】
0006520077.tif 000005
【００１７】
即ち、２枚の透明シートの間隔ｄと、それぞれのピッチｐ、ｗを変化させることで、モアレの周期と、モアレが出現する奥行き方向の位置が変化する。本実施形態による表示装置１では、透明シート２が上述の透明シートＡに、基材３が透明シートＢに対応している。透明シート２と基材３の間隔ｄが連続的に変化し、且つ、透明シート２が移動することで観測点から目視した際のピッチｐとピッチｗが相対的に変化するため、上述した原理により立体的且つ連続的に変化するモアレを観測することが可能となる。なお、本発明ではピッチｐとピッチｗの相対的な変化を利用しているため、実際のピッチｐ、ｗは同じ値でも良いし、異なっていても良い。
【００１８】
（モアレを促す線群）
図５から図７の（ａ）に、基材３に形成するモアレを促す線群（以下、第１パターンとも呼ぶ）例を、（ｂ）に、透明シート２に形成するモアレを促す線群（以下、第２パターンとも呼ぶ）例を示す。
【００１９】
（第一の実施形態）
本発明の第一の実施形態について図５を用いて説明する。まず、基材３内の立体的に表示させたい（モアレを発生させる対象である）任意の図柄を、モアレを促す線群１４を平行に配列して描く。また、透明シート２に形成する第２パターンには、第１パターンと同じ図柄を観測方向Ｆから見て基材３と同一位置に印刷する。上述の通り、透明シート２が観測方向に対し略直線方向へ前後方向に動くことで、透明シート２のモアレを促す線群１４の相対的なピッチが変化するので、第１パターンと第２パターンにずれが生じる。その結果、透明シート２と発生したモアレとの間に視差が生じ、立体的かつ連続的に変化するモアレを目視することができる。なお、図５ではモアレを促す線群１４を直線で表現したが、直線の他、図１０のように円や曲線を対象領域中に複数配列させることでモアレを発生させても良い。
【００２０】
（第二の実施形態）
図６に示す例では、同一位置における基材３に形成するモアレを促す線群１４の傾きθ１と、透明シート２に形成するモアレを促す線群１４の傾きθ２が異なる。傾きθ１とθ２の角度の差が０度以上４５度以下であることが好ましく、より好ましくは１度以上１５度以下であることが好ましい。第一の実施形態で述べた図５の例では、基材３と透明シート２との間隙が０ｍｍの時、図柄が完全に一致するためずれが生じないのでモアレが発生せず、ある程度以上間隙が開かないと、モアレを視認することができない。しかし、本実施形態である図６に示すように、異なる傾きを有するパターンを用いると、基材３と透明シート２の間隙が０ｍｍの場合であっても角度がずれているためモアレが発生する。従って、連続的に動かすことで、常にモアレの変化を発生させることができる。
【００２１】
（第三の実施形態）
図７に示すパターンの例では、モアレを発生させる対象である任意の図柄の配向に沿って、モアレを促す線群１４が複数種類形成されている。任意の図柄の配向に沿って線群を形成することにより、上述した第一、第二の実施形態のパターン例に比べて、形状をよりはっきりと表現できる。
また、任意の図柄の配向に沿うと共に、第二の実施形態と同様に基材３で形成するモアレを促す線群１４の傾きと、透明シート２で形成するモアレを促す線群１４の傾きが異なるよう、パターンを形成しても良い。第二の実施形態のパターン例と同様に、基材３と透明シート２でモアレを促す線群１４の傾きを変えているため、常にモアレに変化をつけることができる。
【００２２】
なお、基材３の第１パターンが形成されていない（即ちモアレを発生させない）領域に関しては、上記のようなモアレを促す線群１４を描く必要がない。そのため、例えば背景や目立たせる必要のない図柄といった、モアレによる立体視表現が不要な任意の絵柄を基材３のみに印刷しても良い。この結果、立体視表現が不要な任意の絵柄が透明シート２を透過し、モアレを発生させること無く観測することが可能となり、意匠性がより向上する。
【００２３】
（モアレを促す線群の本数）
第１パターンおよび第２パターンを形成するモアレを促す線群１４は、１ｍｍあたりの本数ｎが、１０本以上５０本以下であることが望ましい。ピッチが長いと、ある程度以上の観測距離を取らないと、モアレを促す線群１４自体が視認されてしまい、モアレの視認性が低下してしまう。また、１ｍｍあたり５０本以上の線群を形成することは、技術的に難しい。なお、モアレを促す線群１４に色をつけることで色つきのモアレを発生させることも可能である。
【００２４】
（前面板）
前面板１２は画面を防護する役割を担うため、強度が強く、且つ、視認性を良くするために、透過率が高いガラスや透明プラスチック等を用いることが望ましい。
【００２５】
（基材３）
基材３の材料は、塗工印刷用紙（アート紙、コート紙等）、合成紙、合成樹脂シートを用いることができる。光量を高くするためには、透過率が高い合成樹脂シートが望ましい。第１パターンの形成方法としては、グラビア印刷法、スクリーン印刷法、オフセット印刷法が適している。
【００２６】
（透明シート）
透明シート２の材料は、透過率が高いことが望ましく、ポリフェニレンスルフィド樹脂、ポリカーボネート樹脂、ポリプロピレン系樹脂、ポリエチレン系樹脂、ポリアミド系樹脂、アクリル系樹脂、ポリ塩化ビニル系樹脂、ポリアリレート系樹脂などの合成樹脂シートが使用できる。なお、透明シート２の観測面側に、三次元形態としてマイクロレンズのような凹凸を形成することもできる。第２パターンの形成方法としては、第１パターン同様グラビア印刷法、スクリーン印刷法、オフセット印刷法が適している。
【００２７】
（駆動方法）
図８および図９を用いて、透明シート２を移動させる機構について説明する。
図８は連結部品１１を動かすキャタピラ９の概略図であり、図９は駆動機１０と透明シート２を連結する、連結部品１１の概略図である。
【００２８】
連結部品１１の一例として、図９に示すように、矩形フレーム１１ａと、矩形フレーム１１ａの四隅に連結部品の脚１１ｂを形成した構成が挙げられる。連結部品の脚１１ｂをそれぞれ透明シート２の四隅に接着すると共に、キャタピラ９に下側の連結部品の脚１１ｂを搭載する。なお、図９では奥側のキャタピラ９を省略している。
キャタピラ９は、駆動機１０と連結されている。駆動機１０が動作するとキャタピラも連動して動作し、基材３と透明シート２の間に間隙を生じさせることが可能となる。
【００２９】
（移動速度）
駆動機１０はプログラムにより制御される。透明シート２の移動速度ｖの最高速度は５ｍｍ／ｓｅｃ以下となるように制御することが好ましい。また、最低速度は０．５ｍｍ／ｓｅｃ以上とすることが好ましい。移動速度が５ｍｍ／ｓｅｃより速いと、モアレの変化が単調となり、且つ、電力消費が激しくなる。また、移動速度が０．５ｍｍ／ｓｅｃより遅くなると、凝視していないと変化が分かりづらくなり、目を惹く表示装置としての魅力が損なわれるためである。
【００３０】
（間隔ｄ）
また、基材３と透明シート２の間隙ｄは１０ｍｍ以上５０ｍｍ以下となるように制御することが望ましい。間隙ｄが１０ｍｍより小さいと、視覚変化が小さく、単調な動きとなる。逆に、間隙ｄが５０ｍｍより大きい場合、モアレのコントラストが小さくなり、視認が難しくなる他、装置が巨大化してしまう。
【００３１】
（駆動機）
駆動機１０は、制御回路が備えるメモリに記憶したデータに基づき制御され、スイッチボタン１３を押すと動作を開始する。
【００３２】
駆動機１０には、例えば、モーターやエアシリンダーが挙げられる。いずれも、小型で偏平なものが要求され、同時に動作音が静かであり、低消費電力な駆動機が望ましい。
【００３３】
（照明装置）
拡散シート５、導光体７、反射シート８の順に配置した積層体と、導光体７の側面、あるいは射出面裏側に配置された光源６を少なくとも含んで構成される。これらは既存のものを使用すればよく、下記に代表的なものを挙げる。
【００３４】
（光源）
光源６としては、点光源が挙げられ、代表的な点光源としてＬＥＤが挙げられる。ＬＥＤ光源はＣＣＦＬと比べて小型であり、消費電力が半減し、コストの面でも優位性を持つため、ディスプレイ用光源として一般的に使用されている。ＬＥＤとしては、白色ＬＥＤや光の三原色である赤色・緑色・青色のチップで構成されるＲＧＢ−ＬＥＤ等が挙げられる。
【００３５】
（拡散シート）
拡散シート５は、表面に凹凸のついた光学シートであり、導光体７から射出される光を拡散する機能を有する。射出光を拡散させることで、照明装置の発光ムラを低減させ、画面内の輝度均一性を高める効果がある。
【００３６】
（導光体）
導光体７は、ＰＭＭＡ（ポリメチルメタクリレート）に代表されるアクリル樹脂、またはＰＥＴ（ポリエチレンテレフタレート）、ＰＣ（ポリカーボネート）、ＣＯＰ（シクロオレフィンポリマー）、ＰＡＮ（ポリアクリロニトリル共重合体）、ＡＳ（アクリロニトリルスチレン共重合体）等の透明樹脂を用いることが望ましい。
【００３７】
（反射シート）
反射シート８は導光体７から漏れてしまった光を反射し、再び導光体７へ再帰させる役割を担う。反射シート８として、ポリマーの中に、平均粒径０．１μｍ以上０．５μｍ以下の酸化チタン等のフィラーと気泡を内填させた構造となっている。
【実施例】
【００３８】
以下の実施例１から実施例４において、透明シート２と基材３を重ね合わせた時に「ＡＢＣＤＥ」の５文字のゴシック体が画面中央に、立体的なモアレとして出現する構成とした。
透明シート２および基材３におけるモアレを促す線群１４の１ｍｍあたりの本数、移動速度ｖ、基材とシートの最大間隙を変えて実験を行った。
【００３９】
（実施例１）
表示装置１において、観測面の表示領域が３００ｍｍ×１７５ｍｍの１３．３インチサイズであり、表示体の観測面の大きさが４００ｍｍ×３００ｍｍであり、奥行きが２００ｍｍの略直方体形状とした。
透明シート２には合成樹脂シートを用い、上記の文字線内に、１ｍｍあたりの本数が２０本の黒線を形状に応じて複数の傾きを持たせて印刷した。基材３に関しても合成樹脂を用い、上記透明シート２の線群と傾きが異なるパターンと、背景図柄を印刷した。
透明シート２の裏面には連結部品１１を接着し、観測面にあるスイッチボタン１３を押すと、駆動機１０中のモーターが駆動し、キャタピラ９が動くことで、連結部品１１が観測方向Ｆに対して前後へ移動する構成とした。その際の移動速度ｖは５ｍｍ／ｓｅｃとし、基材３と透明シート２の間隙は最大で４０ｍｍとした。
照明装置４は観測面側から拡散シート５、導光体７、反射シート８の順番に配置され、観測方向と垂直な２つの面に光源６としてＬＥＤ光源を並べたエッジライト型照明装置を用いた。
【００４０】
（比較例１）
モアレを促す線群１４のピッチが本実施形態の好ましい範囲より長くした表示装置１を作製した。
即ち、透明シート２および基材３におけるモアレを促す線群１４の１ｍｍあたりの本数を８本とした。その他の構成は実施例１と同様にして表示装置１を作製した。
【００４１】
（比較例２）
透明シート２の移動速度ｖを本実施形態の好ましい範囲より速くした表示装置１を作製した。
即ち、透明シート２の移動速度ｖを１０ｍｍ／ｓｅｃとした。その他の構成は実施例１と同様にして表示装置１を作製した。
【００４２】
（比較例３）
基材３と透明シート２の間隔を本実施形態の好ましい範囲より長くした表示装置１を作製した。
即ち、基材３と透明シート２の間隙を最大で６０ｍｍとした。その他の構成は実施例１と同様にして表示装置１を作製した。
【００４３】
（目視評価）
作製した表示装置１のスイッチボタン１３を押した上で観測面の表示領域を目視した時に、表示領域の中央部にてゴシック体の立体視の見え方を評価した。
【００４４】
（結果）
目視評価により、実施例１ではゴシック体の文字が、基材３と透明シート２の間隙が短いときには鮮明に視認でき、間隙が大きくなるにつれて除々に奥行きが変化して見ることができた。適度な速度で立体的な表示効果を繰り返した。
比較例１では、実施例１と同様の効果が得られたものの、モアレを促す線群１４の線幅が太いため、ゴシック体の文字線で上記のモアレを促す線群１４が視認されてしまい、文字パターンが暗く表示されてしまった。
比較例２では、実施例１と同様の効果が得られたものの、透明シート２の移動速度が速いため、実施例１とくらべ、動作が単調であった。
比較例３では、実施例１と同様の効果が得られたものの、基材３と透明シート２の間隙が長いため、ゴシック体が表示されない時間が長くなった。
【００４５】
以上の結果より、本実施形態に沿った表示装置にて、立体視効果が得られることを確認した。また、より注目度を高める意匠性の高い表示装置とするためには、全てのパラメータが本実施形態の有効範囲であることが望ましいとの結果を得た。
【符号の説明】
【００４６】
１…表示装置
２…透明シート
３…基材
４…照明装置
５…拡散シート
６…光源
７…導光体
８…反射シート
９…キャタピラ
１０…駆動機
１１…連結部品
１１ａ…矩形フレーム
１１ｂ…連結部品の脚
１２…前面板
１３…スイッチボタン
１４…モアレを促す線群
Ｆ…観測方向
Ａ…前面透明シート
Ｂ…背面透明シート
Ｍ…モアレ縞
ｄ…透明シート間の距離
Ｄ…透明シートとモアレの距離
ｐ…前面透明シートの格子周期
ｗ…後面透明シートの格子周期
λ…モアレの周期
【図１】
0006520077.tif 000006
【図２】
0006520077.tif 000007
【図３】
0006520077.tif 000008
【図４】
0006520077.tif 000009
【図５】
0006520077.tif 000010
【図６】
0006520077.tif 000011
【図７】
0006520077.tif 000012
【図８】
0006520077.tif 000013
【図９】
0006520077.tif 000014
【図１０】
0006520077.tif 000015